(57)【要約】【課題】不正開封防止用リングのスリットに設けられている脆弱ブリッジを破断することなく開栓することができない不正開封防止付キャップを提供する。【解決手段】キャップ本体と不正開封防止用リングとからなり、不正開封防止用リングが、周方向に等間隔に二つ以上にスリットで分割し、スリットの所定箇所に開栓時に破断する脆弱ブリッジを設け、閉栓方向側の端部分の上面に開栓時に破断しない強化ブリッジを設けてキャップ本体の周壁下端面に接続し、開栓方向側の端部分の内周面にラチェットを設け、開栓方向側の端部分の上面に直角三角形状の押圧傾斜突状部を突設し、押圧傾斜突状部と対向するキャップ本体の下端部分に、押圧傾斜突状部を収容し閉栓方向に回転したときに押圧傾斜突状部と係合する直角三角形状の傾斜切欠部を設け、周方向のほぼ中央位置の内周面に、所定高さのリング変形防止リブを設ける。【選択図】図１
2008285205.tif 000002
【特許請求の範囲】
【請求項１】
容器とのネジ部を内周面に設けるキャップ本体と、不正開封防止用リングとからなり、前記不正開封防止用リングが、周方向に等間隔に二つ以上にスリットを設けて分割し、該スリットのそれぞれの所定箇所に、開栓時に破断する脆弱ブリッジを設けて前記分割された不正開封防止用リング間を接続し、該分割された不正開封防止用リングのそれぞれの閉栓方向側の端部分の上面に、開栓時に破断しない強化ブリッジを設けて、前記キャップ本体の周壁下端面に接続し、前記分割された不正開封防止用リングのそれぞれの開栓方向側の端部分の内周面に、開栓方向に回転したときに容器口頸部のラチェットと係合し合うラチェットを設け、前記分割された不正開封防止用リングのそれぞれの開栓方向側の端部分の上面に、閉栓方向へ傾斜する直角三角形状の押圧傾斜突状部を突設し、該押圧傾斜突状部と対向する前記キャップ本体の下端部分に、前記押圧傾斜突状部を収容し、閉栓方向に回転したときに前記押圧傾斜突状部と係合し合う直角三角形状の傾斜切欠部を設け、かつ前記分割された不正開封防止用リングのそれぞれの周方向のほぼ中央位置の内周面に、前記分割された不正開封防止用リングのラチェットの高さよりも低い所定高さのリング変形防止リブを設けたことを特徴とする不正開封防止付キャップ。
【発明の詳細な説明】
【技術分野】
【０００１】
本発明は、キャップ本体の下方に不正開封防止用リングが接続する不正開封防止付キャップに関するものである。
【背景技術】
【０００２】
従来、店頭などで顧客が購入する前に不正開封されたことが明確に確認できるキャップとしては、例えば、キャップ本体の周壁下方に不正開封防止用リングを強化ブリッジで接続し、不正開封防止用リングを複数箇所を脆弱ブリッジで接続する二本の縦の屈折スリットを設けて二つに等間隔で分割した不正開封防止付キャップが知られている（例えば、特許文献１）。この不正開封防止付キャップは、容器の口頸部に螺着するキャップを、容器を開封するため、開栓方向へ回転させると、不正開封防止用リングの押圧傾斜突状部の傾斜上面とキャップ本体の傾斜切欠き部の傾斜上面とが当接して押圧傾斜突状部が下方へ押圧され、かつ不正開封防止用リングのラチェットの開栓方向の垂直面と容器口頸部の下方のラチェットの垂直面のキャップ開栓側の垂直面とが当接しているため、不正開封防止用リングのスリットの複数箇所の脆弱ブリッジに破断力が集中して脆弱ブリッジが破断される。この不正開封防止用リングの脆弱ブリッジの破断により、事前に開栓されたことが確認されるものある。
【特許文献１】特開２００４−１４９１５６号公報
【発明の開示】
【発明が解決しようとする課題】
【０００３】
しかしながら、不心得者が故意に開けるため、分割された不正開封防止用リングの周方向の中央位置付近をそれぞれ指で掴んで開栓方向へ回転した場合には、指で掴んだリングの中央位置付近が内側へ変形し、ラチェットが設けられている側のリングが外側へ変形するため、この状態で開栓方向へ不正開封防止用リングを回転させると、不正開封防止用リングのラチェットと容器のラチェットが当接することがなく、不正開封防止用リングのスリットに設けられている脆弱ブリッジが破断されないまま回転して、キャップが開栓してしまうことがあった。そして、この取り外した不正開封防止付キャップを容器の口頸部に閉栓して置くと、購入する前に不正開封されたことを顧客が確認することができなかった。
【０００４】
本発明は、上述の従来の不正開封防止付キャップの問題点を解決したものであり、不正開封防止用リングのスリットに設けられている脆弱ブリッジを破断することなく開栓することができない不正開封防止付キャップを提供するものである。
【課題を解決するための手段】
【０００５】
すなわち、本発明は、容器とのネジ部を内周面に設けるキャップ本体と、不正開封防止用リングとからなり、前記不正開封防止用リングが、周方向に等間隔に二つ以上にスリットを設けて分割し、該スリットのそれぞれの所定箇所に、開栓時に破断する脆弱ブリッジを設けて前記分割された不正開封防止用リング間を接続し、該分割された不正開封防止用リングのそれぞれの閉栓方向側の端部分の上面に、開栓時に破断しない強化ブリッジを設けて、前記キャップ本体の周壁下端面に接続し、前記分割された不正開封防止用リングのそれぞれの開栓方向側の端部分の内周面に、開栓方向に回転したときに容器口頸部のラチェットと係合し合うラチェットを設け、前記分割された不正開封防止用リングのそれぞれの開栓方向側の端部分の上面に、閉栓方向へ傾斜する直角三角形状の押圧傾斜突状部を突設し、該押圧傾斜突状部と対向する前記キャップ本体の下端部分に、前記押圧傾斜突状部を収容し、閉栓方向に回転したときに前記押圧傾斜突状部と係合し合う直角三角形状の傾斜切欠部を設け、かつ前記分割された不正開封防止用リングのそれぞれの周方向のほぼ中央位置の内周面に、前記分割された不正開封防止用リングのラチェットの高さよりも低い所定高さのリング変形防止リブを設けたことを特徴とする不正開封防止付キャップである。
【発明の効果】
【０００６】
本発明の不正開封防止付キャップは、不心得者が故意に開けるため、分割された不正開封防止用リングの周方向の中央位置付近をそれぞれ指で掴んで開栓方向へ回転した場合にも、分割された不正開封防止用リングのそれぞれの周方向のほぼ中央位置の内周面に、所定高さのリング変形防止リブを設けられているため、指で掴んだリングの中央位置付近の内側への変形が少なく、従って、不正開封防止用リングのラチェットと容器のラチェットが必ず当接し、不正開封防止用リングのスリットに設けられている脆弱ブリッジが必ず確実に破断される。この結果、外したキャップで閉栓しても、不正開封防止用リングのスリットの脆弱ブリッジが破断していることにより、事前に不正開封されたことを明確に確認することができる。
【発明を実施するための最良の形態】
【０００７】
次に、本発明の不正開封防止付キャップの一実施形態について、図を用いて詳細に説明する。
【０００８】
図１（ａ）は、本実施形態の不正開封防止付キャップの正面図であり、図１（ｂ）は、その底面図である。
【０００９】
本実施形態の不正開封防止付キャップ（１０）は、図１（ａ）に示すように、容器の口頸部に螺着するキャップ本体（１００）と不正開封防止用リング（２００）とからなるキャップである。不正開封防止用リングは、図１（ａ）及び（ｂ）に示すように、周方向に等間隔にスリット（２０１，２０２図示せず）を設けて二つに分割され、スリット（２０１，２０２図示せず）のそれぞれの下端に、開栓時に破断する脆弱ブリッジ（２０３，２０４）を設けて分割された不正開封防止用リング（２１０，２２０）間を接続し、分割された不正開封防止用リング（２１０，２２０）のそれぞれの閉栓方向（Ｘ方向）側の端部分の上面に、開栓時に破断しない強化ブリッジ（２１４図示せず，２２４）を設けて、不正開封防止用リングをキャップ本体の周壁下端面に接続するものである。そして、図１（ｂ）に示すように、分割された不正開封防止用リング（２１０，２２０）のそれぞれの開栓方向側の端部分の内周面に、閉栓方向（Ｘ方向）に回転したときには容器口頸部のラチェットと係合しないが、開栓方向（Ｙ方向）に回転したときに容器口頸部のラチェットと係合し合うラチェット（２１１，２２１）を設け、また、分割された不正開封防止用リング（２１０，２２０）のそれぞれの開栓方向（Ｙ方向）側の端部分の上面に、閉栓方向へ傾斜する直角三角形状の押圧傾斜突状部（２１３，２２３図示せず）を突設し、この押圧傾斜突状部（２１３，２２３図示せず）と対向するキャップ本体（１００）の下端部分に、押圧傾斜突状部（２１３，２２３図示せず）を収容し、閉栓方向（Ｘ方向）に回転したときに押圧傾斜突状部（２１３，２２３図示せず）と係合し合う直角三角形状の傾斜切欠部を設けるものである。また、図１（ｂ）に示すように、分割された不正開封防止用リング（２１０，２２０）のそれぞれの周方向のほぼ中央位置の内周面に、分割された不正開封防止用リング（２１０，２２０）のラチェット（２１１，２２１）の高さよりも低い所定高さのリング変形防止リブ（２１２，２２２）を設けるものである。
【００１０】
なお、キャップ本体（１００）は、図１（ａ）に示すように、天板（１１０）と周壁（１２０）とからなり、天板（１１０）の下面には、容器口部の密閉のため、必要に応じて、インナー封止リング（外周面を容器口部の内周面に密接，図示せず）やコンタクト封止リング（先端を容器口部の上面に密接，図示せず）などを設けるものである。また、周壁（１２０）の外周面には、指で回転しやすくするために、縦のローレットを設けるものである。
【００１１】
また、不正開封防止付キャップは、ポリエチレン、ポリプロピレンなどの熱可塑性樹脂を用いて、射出成形法により、キャップ本体（１００）と不正開封防止用リングを一体に成形するものである。
【００１２】
また、本実施形態の不正開封防止付キャップは、容器の口頸部に螺着するキャップを、キャップ本体の外周面を指で掴んで開栓方向へ回転させると、また、不正開封防止用リングの外周面を指で掴んで開栓方向へ回転させても、不正開封防止用リングの押圧傾斜突状部の傾斜上面とキャップ本体の傾斜切欠き部の傾斜上面とが当接して押圧傾斜突状部が下方へ押圧され、かつ不正開封防止用リングのラチェットと開栓方向の垂直面と容器口頸部の下方のラチェットの垂直面のキャップ開栓側の垂直面とが当接し、不正開封防止用リングのスリットに設けられた脆弱ブリッジに破断力が集中して、脆弱ブリッジが必ず確実に破断するものである。不正開封防止用リングの脆弱ブリッジを破断することなく、容器からキャップを取り外すことはできない。
【図面の簡単な説明】
【００１３】
【図１】（ａ）は、本発明の不正開封防止付キャップの一実施形態の正面図であり、（ｂ）は、その底面図である。
【符号の説明】
【００１４】
１０……不正開封防止付キャップ
１００……キャップ本体
１１０……天板
１２０……周壁
１２１……ローレット
１２２，１２３……傾斜切欠き部
２００……不正開封防止用リング
２０１，２０２……スリット
２０３，２０４……脆弱ブリッジ
２１０，２２０……分割された不正開封防止用リング
２１１，２２１……ラチェット
２１２，２２２……リング変形防止リブ
２１３，２２３……押圧傾斜突状部
２１４，２２４……強化ブリッジ
Ｘ……閉栓方向
Ｙ……開栓方向
【図１】
2008285205.tif 000003